(57)【要約】【目的】映像記録再生装置をリモートコントローラにより操作する際、リモコンコードが一致していることから不要な映像記録再生装置が誤動作してしまうといった問題を解決できる映像記録再生装置及び映像機器システムを提供する。【構成】ビデオレコーダ１，２，３，４は、ｏＰＣＲのｐｏｉｎｔ−ｔｏ−ｐｏｉｎｔ  ｃｏｎｎｅｃｔｉｏｎ  ｃｏｕｎｔｅｒ  の値に基づいてテレビジョンセット５との接続の確立を判断し、前記接続の確立がなされる前には電源ＯＮ／ＯＦＦを示すリモコン信号以外の信号により要求される処理は実行せず、前記接続の確立がなされた以降には電源ＯＮ／ＯＦＦを示すリモコン信号を含む他の信号により要求される処理を実行する。【選択図】                図１
2004363688.tif 000002
【特許請求の範囲】
【請求項１】
他の装置との接続の確立を判断する手段と、前記接続の確立がなされる前には電源ＯＮ／ＯＦＦを示すリモートコントロール信号以外の信号により要求される処理は実行せず、前記接続の確立がなされた以降には電源ＯＮ／ＯＦＦを示すリモートコントロール信号を含む他の信号により要求される処理を実行する制御手段と、を備えたことを特徴とする映像記録再生装置。
【請求項２】
他の装置との接続の確立を判断する手段と、前記接続の確立がなされる前にはリモートコントロール信号により要求される処理は実行せず、前記接続の確立がなされた以降にはリモートコントロール信号により要求される処理を実行する制御手段と、を備えたことを特徴とする映像記録再生装置。
【請求項３】
同一のリモートコントローラで操作できる請求項１又は請求項２に記載の複数の映像記録再生装置と他の装置とが接続されて成る映像機器システム。
【発明の詳細な説明】
【０００１】
【産業上の利用分野】
この発明は、映像記録再生装置及び映像機器システムに関する。
【０００２】
【従来の技術】
近年、ハードディスクを記録媒体としたビデオレコーダなど様々な商品の登場によって複数のビデオレコーダを所有することが珍しくなくなってきている。また、ディジタル放送の開始により視聴可能なチャンネル数が大幅に増えて番組を録画をする機会も増加すると考えられ、１つのテレビジョンセットに複数のビデオレコーダを接続するといった環境が不思議ではなくなると予想される（特許文献１参照）。
【０００３】
複数のビデオレコーダが設置される場合でも、メーカが違う場合はそれぞれのリモコンで個々に操作することが可能である。また、メーカが同じビデオレコーダでも、各メーカが幾つかのコード体系を持っているため、数台までならリモコンを使い分けることで操作を区別することが可能である。
【０００４】
【特許文献１】
特開２００１−１４５０５２号公報
【０００５】
【発明が解決しようとする課題】
しかしながら、上記従来の構成では、わざわざリモコンを持ち替える必要があり、同一メーカのビデオレコーダの場合はビデオレコーダ本体とリモコンのコード体系を一致させるために煩わしい設定が必要になる。また、複数のビデオレコーダが同じ場所に存在するときにはリモコンを使い分ける必要があったり、面倒な設定をしなければいけなかったり、動作させたくない機器が動いてしまうといった問題が生じる。
【０００６】
この発明は、上記の事情に鑑み、同一のリモートコントローラで操作できる映像記録再生装置が他の装置に複数台接続されるシステムで、或る映像記録再生装置を操作しようとした際に必要のない他の映像記録再生装置が誤って動作するのを防止することができる映像記録再生装置及び映像機器システムを提供することを目的とする。
【０００７】
【課題を解決するための手段】
この発明の映像記録再生装置は、上記課題を解決するために、他の装置との接続の確立を判断する手段と、前記接続の確立がなされる前には電源ＯＮ／ＯＦＦを示すリモートコントロール信号以外の信号により要求される処理は実行せず、前記接続の確立がなされた以降には電源ＯＮ／ＯＦＦを示すリモートコントロール信号を含む他の信号により要求される処理を実行する制御手段と、を備えたことを特徴とする。
【０００８】
上記の構成であれば、同一のリモートコントローラで操作できる映像記録再生装置が他の装置に複数台接続されるシステムで、或る映像記録再生装置を操作しようとした際に、電源ＯＮ／ＯＦＦ指令については動作してしまうものの、他の指令については、必要のない他の映像記録再生装置が誤って動作するのを防止することができる。
【０００９】
また、この発明の映像記録再生装置は、他の装置との接続の確立を判断する手段と、前記接続の確立がなされる前にはリモートコントロール信号により要求される処理は実行せず、前記接続の確立がなされた以降にはリモートコントロール信号により要求される処理を実行する制御手段とを備えたことを特徴とする。
【００１０】
上記の構成であれば、同一のリモートコントローラで操作できる映像記録再生装置が他の装置に複数台接続されるシステムで、或る映像記録再生装置を操作しようとした際に必要のない他の映像記録再生装置が誤って動作するのを防止することができる。
【００１１】
また、この発明の映像機器システムは、同一のリモートコントローラで操作できる上述の複数の映像記録再生装置と他の装置とが接続されて成ることを特徴とする。
【００１２】
【発明の実施の形態】
以下、この発明の実施形態の映像機器システムを図１乃至図７に基づいて説明する。
【００１３】
図１はこの発明の実施形態における映像機器システムを示した説明図である。このシステム例では、１台のテレビジョンセット５に４台のビデオレコーダ１，２，３，４が接続されている（以下、特定のビデオレコーダを示さない場合にはビデオレコーダＶＲと記す）。テレビジョンセット５は映像の入力元としてビデオレコーダ２を選択しており、画面上にはビデオレコーダ２から出力されている映像が映し出されている。この場合、ビデオレコーダ２のみがリモートコントローラ（以下、単にリモコンという）からのリモコン信号に基づく処理を実行し、他のビデオレコーダ１，３，４はリモコン信号を受信しても無視する。なお、図示はしていないが、テレビジョンセット５及びビデオレコーダＶＲにおいて、例えば、それらのプロセッサは、ブリッジ回路及びＰＣＩバスを介してＩＥＥＥ１３９４コントローラに接続され、このＩＥＥＥ１３９４コントローラがＩＥＥＥ１３９４シリアルバスに接続される。
【００１４】
図２及び図３は、ビデオレコーダＶＲとテレビジョンセット５との接続からリモコンを用いたビデオレコーダ操作までのユーザによる操作内容を示したフローチャートである。
【００１５】
図２に示すユーザ操作では、まず、ビデオレコーダＶＲとテレビジョンセット５とを接続する（ステップＳ１）。次に、テレビジョンセット５の電源をＯＮする（ステップＳ２）。次に、ビデオレコーダＶＲの電源をＯＮする（ステップＳ３）。次に、テレビのＩＥＥＥ１３９４接続機器設定によって操作したいビデオレコーダ（上記の例では２）を選択する（ステップＳ４）。次に、テレビジョンセット５のリモコンのＩＥＥＥ１３９４ボタンを押し、ビデオレコーダの出力をテレビ画面に表示する（ステップＳ５）。次に、操作したいビデオレコーダのリモコンでビデオレコーダを操作する（ステップＳ６）。
【００１６】
また、図３に示すユーザ操作では、まず、ビデオレコーダＶＲとテレビジョンセット５とを接続する（ステップＳ１１）。次に、テレビジョンセット５の電源をＯＮする（ステップＳ１２）。次に、テレビのＩＥＥＥ１３９４接続機器設定によって操作したいビデオレコーダ（上記の例では２）を選択する（ステップＳ１３）。次に、操作したいビデオレコーダのリモコンでビデオレコーダの電源をＯＮする（ステップＳ１４）。次に、テレビジョンセット５のリモコンのＩＥＥＥ１３９４ボタンを押し、ビデオレコーダの出力をテレビ画面に表示する（ステップＳ１５）。次に、前記リモコンによってビデオレコーダを操作する（ステップＳ１６）。
【００１７】
ビデオレコーダＶＲはテレビジョンセット５に直接に接続されている必要はない。接続形態は、ＩＥＥＥ１３９４の仕様に従っており、デイジーチェーン（数珠つなぎ）、ツリー型、スター型のいずれでも接続できる。ユーザは、全てのビデオレコーダＶＲをテレビジョンセット５に接続した後、テレビジョンセット５の電源及び操作しようとするビデオレコーダ２の電源をＯＮする。テレビジョンセット５とビデオレコーダＶＲの電源をＯＮする順番はどちらが先でもよい。また、ビデオレコーダ２の電源をリモコンでＯＮした場合、リモコンコードが一致するビデオレコーダＶＲは全て電源ＯＮするが、これは正常な動作とする。若しくは、ビデオレコーダＶＲの主電源がＯＮになっていなくてもスタンバイ状態（ビデオレコーダＶＲのプラグがコンセントに装着されている状態：ＩＥＥＥ１３９４コントローラ等へは通電）でＩＥＥＥ１３９４の接続処理が行えることが多いため、これを利用することで不要なビデオレコーダＶＲが電源ＯＮしないようにできる。この場合、図３に示したように、先にテレビジョンセット５の電源をＯＮして操作するビデオレコーダＶＲを選択し、その後にビデオレコーダＶＲの電源をＯＮするという手順になる。
【００１８】
次に、図４のフローチャートに基づいて新たな機器の接続の際の処理について説明する。ＩＥＥＥ１３９４システムに新たな機器が接続されると、まず、バスリセットがなされる（ステップＳ２１）。次に、ツリー構造の解析がなされる（ステップＳ２２）。次に、ルートの決定がなされる（ステップＳ２３）。次に、各ノードのノードＩＤを決定する（ステップＳ２４）。次に、ＩＲＭ（Ｉｓｏｃｈｒｏｎｏｕｓ  Ｒｅｓｏｕｒｃｅ  Ｍａｎａｇｅｒ）を決定する（ステップＳ２５）。
【００１９】
次に、前述した図２のステップＳ５及び図３のステップＳ１５におけるボタン操作がなされたときの機器の処理内容を図５に基づいて説明していく。なお、ここでは、ｐｏｉｎｔ−ｔｏ−ｐｏｉｎｔ  ｃｏｎｎｅｃｔｉｏｎ  がなされるものとする。ｐｏｉｎｔ−ｔｏ−ｐｏｉｎｔ  ｃｏｎｎｅｃｔｉｏｎ  は、ｏｕｔｐｕｔプラグとｉｎｐｕｔ  プラグ及びこれらの間に設定されるチャンネルにより構成される接続である。ユーザによってボタン操作がなされると、テレビジョンセット５からＩＲＭに対して必要な帯域を要求する。ＩＲＭはテレビジョンセット５にチャンネルを返信することになる。仮に、チャンネル番号が１０であれば、Ｃｈａｎｎｅｌ  Ｎｕｍｂｅｒ＝１０となる。そして、ビデオレコーダＶＲのｏＰＣＲ（ｏｕｔｐｕｔ  ｐｌｕｇｃｏｎｔｒｏｌ  ｒｅｇｉｓｔｅｒ）  のｐｏｉｎｔ−ｔｏ−ｐｏｉｎｔ  ｃｏｎｎｅｃｔｉｏｎ  ｃｏｕｎｔｅｒ  は１つカウントアップされる。また、与えられたチャンネルをビデオレコーダＶＲのｏＰＣＲのチャンネルに設定する（ｏＰＣＲ  Ｃｈａｎｎｅｌ  Ｎｕｍｂｅｒ  ＝１０）。一方、テレビジョンセット５のｉＰＣＲ（ｉｎｐｕｔ  ｐｌｕｇ  ｃｏｎｔｒｏｌ  ｒｅｇｉｓｔｅｒ）  のｐｏｉｎｔ−ｔｏ−ｐｏｉｎｔ  ｃｏｎｎｅｃｔｉｏｎ  ｃｏｕｎｔｅｒ  も１つカウントアップされる。与えられたチャンネルをテレビジョンセット５のｉＰＣＲのチャンネルに設定する（ｉＰＣＲ  Ｃｈａｎｎｅｌ  Ｎｕｍｂｅｒ＝１０）  。
【００２０】
次に、ビデオレコーダＶＲがリモコン信号を受信した際の処理について説明していく。なお、ビデオレコーダの電源をリモコンでＯＮした場合にリモコンコードが一致するビデオレコーダの電源が全てＯＮする場合（スタンバイ状態ではＩＥＥＥ１３９４の接続処理が行えない構成例）を図６のフローチャートに示す。また、ビデオレコーダの主電源がＯＮになっていなくてもスタンバイ状態でＩＥＥＥ１３９４の接続処理を行うことで不要なビデオレコーダの電源をＯＮしないようにする場合を図７のフローチャートに示す。
【００２１】
図６に示す処理では、ビデオレコーダのプロセッサはリモコン信号を受信し（ステップＳ３１）、この受信したリモコン信号が電源ＯＮ／ＯＦＦを指示する信号かどうかを判断する（ステップＳ３２）。電源ＯＮ／ＯＦＦを指示する信号であれば、電源ＯＮ／ＯＦＦ動作を実行する（ステップＳ３４）。電源ＯＮ／ＯＦＦを指示する信号でない場合、ｏＰＣＲのｐｏｉｎｔ−ｔｏ−ｐｏｉｎｔ  ｃｏｎｎｅｃｔｉｏｎ  ｃｏｕｎｔｅｒ  の値が１以上かどうかを判断する（ステップＳ３３）。ＮＯであれば、ステップＳ３１に進む（リモコン信号を無視する）。一方、ＹＥＳであれば、ステップＳ３４に進んでリモコン信号による指示内容を実行する。
【００２２】
また、図７に示す処理では、ビデオレコーダのプロセッサはリモコン信号を受信したとき（ステップＳ４１）、ｏＰＣＲのｐｏｉｎｔ−ｔｏ−ｐｏｉｎｔ  ｃｏｎｎｅｃｔｉｏｎ  ｃｏｕｎｔｅｒ  の値が１以上かどうかを判断する（ステップＳ４２）。ＮＯであれば、ステップＳ４１に進む（リモコン信号を無視する）。一方、ＹＥＳであれば、リモコン信号による指示内容を実行する（ステップＳ４３）。
【００２３】
このように、ビデオレコーダはｏＰＣＲのｐｏｉｎｔ−ｔｏ−ｐｏｉｎｔ  ｃｏｎｎｅｃｔｉｏｎ  ｃｏｕｎｔｅｒ  の値に基づいてテレビジョンセットとの接続の確立を判断し、接続の確立がなされる前には電源ＯＮ／ＯＦＦを示すリモコン信号以外の信号により要求される処理は実行せず、接続の確立がなされた以降には電源ＯＮ／ＯＦＦを示すリモコン信号を含む他の信号により要求される処理を実行する。或いは、テレビジョンセットとの接続の確立を判断し、接続の確立がなされる前にはリモコン信号により要求される処理は実行せず、接続の確立がなされた以降にはリモコン信号により要求される処理を実行する。これにより、ＩＥＥＥ１３９４で接続設定した（接続を確立した）ビデオレコーダ（すなわち、テレビ画面に出力した映像が映し出されているビデオレコーダ）のみリモコンによって操作することが可能になり、他のビデオレコーダの誤動作は防止される。
【００２４】
なお、上記の実施例では、ＩＥＥＥ１３９４を採用した構成例について説明したが、例えばテレビジョンセットとビデオレコーダを結ぶ専用のケーブルを設けた構成やＬＡＮなどでネットワーク接続した構成においても、接続の確立を判断できるようにしておくことで、かかる発明を適用することができる。また、業務用の監視レコーダシステムにおいては、監視規模によって大量のビデオレコーダが監視室に設置されており、操作が必要な場合は本体のパネルに付いているボタンを押して操作するか、操作パネルと監視レコーダの本体を有線で接続し操作する方法がとられているが、このような映像機器システムにおいても、本発明を適用することができ、これにより、監視モニタに映っている１  台のビデオレコーダのみを各ビデオレコーダに共通のリモコンで操作できることになる。
【００２５】
【発明の効果】
以上説明したように、この発明によれば、テレビジョンセット等に複数の映像記録再生装置が接続されるシステムにおいて、ある映像記録再生装置をリモートコントローラにより操作する際、リモコンコードが一致していることから不要な映像記録再生装置が誤動作してしまうといった問題を解決できるという効果を奏する。
【図面の簡単な説明】
【図１】この発明の実施形態の映像機器システムを示した説明図である。
【図２】テレビジョンセットに複数のビデオデコーダを接続する際のユーザ操作内容を示したフローチャートである。
【図３】テレビジョンセットに複数のビデオデコーダを接続する際のユーザ操作内容を示したフローチャートである。
【図４】ＩＥＥＥ１３９４における新たな機器の接続の際の処理を示したフローチャートである。
【図５】ＩＥＥＥ１３９４ボタンの操作がなされたときの機器の処理内容を示したフローチャートである。
【図６】ビデオレコーダがリモコン信号を受信した際の処理を示したフローチャートである。
【図７】ビデオレコーダがリモコン信号を受信した際の処理を示したフローチャートである。
【符号の説明】
１    ビデオデコーダ
２    ビデオデコーダ
３    ビデオデコーダ
４    ビデオデコーダ
５    テレビジョンセット
【図１】
2004363688.tif 000003
【図２】
2004363688.tif 000004
【図３】
2004363688.tif 000005
【図４】
2004363688.tif 000006
【図５】
2004363688.tif 000007
【図６】
2004363688.tif 000008
【図７】
2004363688.tif 000009